(57)【要約】      （修正有）【課題】非開削工法により管軸方向に裂開した既設管と、該既設管に覆われた新設管との狭い隙間に通した牽引部材により該隙間に導入されて前記隙間を拡大すると共に拡開した既設管の一部を切除するためのスペーサ治具を提供する。【解決手段】スペーサ治具１が、既設管１０と新設管１１の間の隙間を広げる長さの縦幅を有する本体部と、該本体部から先端に向かって縦幅を漸次幅狭にした先端ガイド部４とを有する左右一対のサイドプレート２と、該一対のサイドプレート２間に横架されて既設管１０を切断した切断刃が新設管１１より先に接する位置に配置された切断保護部材７と、前記サイドプレート２の底面部に、新設管１１の外周に掛止められる掛止部５が形成されていることを特徴とする。【選択図】図２
0003198030.tif 000002
【実用新案登録請求の範囲】
【請求項１】
非開削工法により管軸方向に裂開した既設管と、該既設管に覆われた新設管との隙間に挿入されて拡開した既設管の一部を切除するためのスペーサ治具であって、
スペーサ治具が、既設管と新設管の間の隙間を広げる長さの縦幅を有する本体部と、該本体部から先端に向かって縦幅を漸次幅狭にした先端ガイド部とを有する左右一対のサイドプレートと、該一対のサイドプレートの高さ方向の中間位置に横架された切断保護部材とからなっており、
前記サイドプレートの底面部に、新設管の外周に掛止められる掛止部が形成されていることを特徴とするスペーサ治具。
【請求項２】
掛止部が、新設管の軸心を中心とした外周の円弧面に整合する円弧状の凹部と、該凹部の両端に形成された一対の角部とからなっていることを特徴とする請求項１に記載のスペーサ治具。
【請求項３】
掛止部が、径の異なる２つの新設管の軸心を中心とした外周の円弧面に整合する径の異なる複数の円弧状の凹部を有しており、該凹部が基端を共通とし、小径の凹部と重なる部分は小径の凹部に吸収され、該小径の凹部を超えた部分に大径の凹部の残りの円弧状の凹部が形成されていることを特徴とする請求項１または２に記載のスペーサ治具。
【請求項４】
サイドプレートの上面に、拡開された既設管の少なくとも一方の端部を掛止める段差部が形成されていることを特徴とする請求項１から３のいずれかに記載のスペーサ治具。
【請求項５】
切断保護部材が、一対のサイドプレート間に横架された複数の杆状部材からなっており、該杆状部材は切断刃が通過しない間隔に配置されていることを特徴とする請求項１から３のいずれかに記載のスペーサ治具。
【請求項６】
サイドプレートの上面部が側面から見て円弧状または湾曲状に隆起しており、挿入方向の後端に上方へ突出する突出片を設けてなることを特徴とする請求項１から４のいずれかに記載のスペーサ治具。
【請求項７】
サイドプレートの先端側に連結される可撓性を備えた導入ガイド部材と、
略Ｌ状のパイプからなって、該Ｌ状の一方の片に前記ワイヤなどの導入ガイド部材の先端を連結する連結部が設けられ、Ｌ状の他方の片の先端にサイドプレート間に横架された杆状部材からなる切断保護部材に着脱可能に掛止められる掛止部を有する別体の牽引装置とが設けられていることを特徴とする請求項１から６のいずれかに記載のスペーサ治具。
【考案の詳細な説明】
【技術分野】
【０００１】
この考案は、非開削工法（パイプスプリッター工法）により、鋼管からなる既設管内に新設管のポリエチレン管を引き込んで更正修理した路線において、新設管に分岐管を接続するために既設管の一部を切除するために用いるスペーサ治具およびこれを用いた既設管切除方法に関する。
【背景技術】
【０００２】
従来、ガス配管などの更正修理方法として非開削工法を用いて既設鋼管を管軸方向に切り裂きながら、その内部に新設管としてのポリエチレン管を引き込んで交換する構成が知られている。
そのため、前記新設管は、切り裂かれた既設管（裂開鞘管）が被さった状態で埋設されているので、前記新設管に新規に分岐管を接続させるなどの場合に、該当個所の地面を掘削し、既設管に覆われた新設管に傷をつけずに、既設管の管壁を所定の長さで切除して新設管を露出させる必要がある。
【０００３】
例えば、特許第４６３４２３２号の裂開鞘管内配管の分岐取り出し工事補助治具では、前記裂開鞘管と前記配管との間に挿入可能な弾性挿入案内片と、該弾性挿入案内片が一端に取り付けられ、非膨張時は平面袋状をなし、内部に弾性膨張バッグが配備された枕部材と、前記枕部材の他端から引き出され、前記弾性膨張バッグに圧力供給を行う圧力供給チューブとを備え、前記裂開鞘管と前記配管との間に挿入された前記枕部材の膨張によって、前記裂開鞘管と前記配管との間に、該裂開鞘管を管軸と垂直な断面で切断して分岐領域を開放する作業スペースを形成する構成が開示されている。
しかし、上記構成では、平面袋状をなし内部に弾性膨張バッグが配備された枕部材を裂開鞘管と配管の隙間に挿入するため、枕部材は隙間に挿入するために厚みを薄くする必要がある一方、隙間に挿入後には圧力供給されて裂開鞘管と配管の隙間を広げるようになっているので、薄くても高圧力に耐えて裂開鞘管を浮き上げる強度を有する素材を用いる必要があり、容易に素材を選定して製作することが困難である。
また、裂開鞘管を切断する際には、枕部材に損傷を与えないように切断する必要があり、煩わしい作業が要求される。
次に、特開２０１１−３３０５２のスペーサ治具およびこれを用いた既設管切除方法では、合成樹脂製の環状体の一端を切断して拡縮自在な弾性を有すると共に新設管の外径とほぼ同じ長さに内径を設定したリング本体と、前記切断した端部の少なくとも一方が斜めに切断されて端部に向かって漸次薄肉になる先端ガイド部に形成したリング状治具からなり、該リング状治具のリング本体を拡径して既設管に外嵌し、前記先端ガイド部を既設管の切り裂かれた開口から既設管と新設管の隙間に挿入し、リング本体を一周させて新設管に外嵌させて既設管と新設管との間の空間を均一に形成し、前記リング状治具の厚みを少なくともカッターで既設管を切除した際に新設管が損傷を受けることがない厚みに設定する構成が開示されている。
上記構成では、リング状部材は既設管を切断するに際して、そのままでは、カッターと新設管との間には何も新設管を保護する部材は無いので、カッターにより新設管を損傷するおそれがあった。
【先行技術文献】
【特許文献】
【０００４】
【特許文献１】特許第４６３４２３２号公報
【特許文献２】特開２０１１−３３０５２号公報
【考案の概要】
【考案が解決しようとする課題】
【０００５】
この考案は上記事情に鑑みて創案されたものであって、その主たる課題は、
管軸方向に裂開した既設管（鞘管）を新設管から離間させて、新設管に損傷を与えることなく前記離間した既設管を確実に切断しうるスペーサ治具を提供することにある。
【課題を解決するための手段】
【０００６】
上記課題を解決するために、請求項１のスペーサ治具の考案では、
非開削工法により管軸方向に裂開した既設管と、該既設管に覆われた新設管との隙間に挿入されて拡開した既設管の一部を切除するためのスペーサ治具であって、
スペーサ治具が、既設管と新設管の間の隙間を広げる長さの縦幅を有する本体部と、該本体部から先端に向かって縦幅を漸次幅狭にした先端ガイド部とを有する左右一対のサイドプレートと、該一対のサイドプレートの高さ方向の中間位置に横架された切断保護部材とからなっており、
前記サイドプレートの底面部に、新設管の外周に掛止められる掛止部が形成されていることを特徴とする。
請求項２の考案では、
前記掛止部が、新設管の軸心を中心とした外周の円弧面に整合する円弧状の凹部と、該凹部の両端に形成された一対の角部とからなっていることを特徴とする。
請求項３の考案では、
前記掛止部が、径の異なる２つの新設管の軸心を中心とした外周の円弧面に整合する径の異なる少なくとも２つの円弧状の凹部を有しており、該凹部が基端を共通とし、小径の凹部と重なる部分は小径の凹部に吸収され、該小径の凹部を超えた部分に大径の凹部の残りの円弧状の凹部が形成されていることを特徴とする。
請求項４の考案では、
前記サイドプレート２の上面に、拡開された既設管の少なくとも一方の端部を掛止める段差部が形成されていることを特徴とする。
請求項５の考案では、
前記保護部材が、一対のサイドプレート間に横架された複数の杆状部材からなっていることを特徴とする。
請求項６の考案では、
前記サイドプレートの上面部が側面から見て円弧状または湾曲状に隆起しており、挿入方向の後端に上方へ突出する突出片を設けてなることを特徴とする。
請求項７の発明では、
サイドプレートの先端側に連結される可撓性を備えた導入ガイド部材と、
略Ｌ状のパイプからなって、該Ｌ状の一方の片に前記ワイヤなどの導入ガイド部材の先端を連結する連結部が設けられ、Ｌ状の他方の片の先端にサイドプレート間に横架された杆状部材からなる切断保護部材に着脱可能に掛止められる掛止部を有する別体の牽引装置とが設けられていることを特徴とする。
【考案の効果】
【０００７】
この考案では、裂開した既設管の切断予定位置で裂開部分を拡開し、新設管との間にスペーサ治具を挿入し固定する。
上記スペーサ治具は、一対のサイドプレートによって既設管と新設管の間の隙間を切断作業が可能な間隔に維持しうるように規制する。
このスペーサ治具には、一対のサイドプレート間に切断保護部材が横架されているので、既設管を切断する際に切断刃が新設管に当たることがなく、新設管が損傷されることがない。
このように、この考案のスペーサ治具を用いることで、既設管と新設管の間を拡大し、相互に掛け止めて正確に位置決めをし、既設管の切断時には新設管が損傷しないように保護することができる。
【図面の簡単な説明】
【０００８】
【図１】図１はスペーサ治具の側面図である。
【図２】図２はスペーサ治具を既設管と新設管の間に挿入した状態を示す斜視図である。
【図３】図３はスペーサ治具を小径の新設管に掛け止めた状態の側面図である。
【図４】図４はスペーサ治具を大径の新設管に掛け止めた状態の側面図である。
【図５】図５は導入ガイド部材および牽引部材でスペーサ治具を既設管と新設管の間に通す際の側面から見た説明図である。
【図６】図６は切断刃による既設管の切断状態を示す側面から見た説明図である。
【図７】図７はスペーサ治具を大径の新設管に掛け止めた状態の側面図である。
【図８】裂開された既設管の両端部を拡径し拡開した状態を示す説明図である。
【考案を実施するための形態】
【０００９】
この考案は、埋設された既設管を非開削工法により切り裂いて、更新された新設管を保護することになった既設管（鞘管）の一部を切断して除去し、新設管の分岐などの工事をしやすくするためのスペーサ治具であって、スペーサ治具が一対のサイドプレート間に切断保護部材を横架することで既設管の切断時に新設管に損傷を与えることなく、拡開された既設管と新設管の間に掛け止めて、新設管を保護しながら既設管を確実に切断することを実現した。
以下にこの考案の好適実施例について図面を参照しながら説明する。
【実施例１】
【００１０】
本実施例のスペーサ治具１は、公知のパイプ非開削工法を用いて、既設管１０を管軸方向に切り裂きながら、その内部に新設管１１（本実施例ではポリエチレン管）を引き込んで交換した際に、新設管１１への工事で、裂開した既設管１０を拡径方向に広げ、この拡開した既設管１０を新設管１１の軸方向と交差する方向に切断して、軸方向に所定長さだけ離間した２個所を切断して、切断個所を撤去し新設管１１を露出させる作業において使用する。
【００１１】
ここで、裂開された既設管１０は、予め切断予定個所を拡開しておく。
拡開する構成としては、一例として本出願人らが開発した特願２０１４−５５４０５号に記載された拡開工具（図示せず）などを用いて、既設管１０の裂開部分（割れ目）の両端を図中矢印で示す拡径方向に広げて、拡開する（図８参照）。
【００１２】
［スペーサ治具］
本実施例のスペーサ治具１は、拡開した既設管１０と新設管１１の間で新設管１１の径方向の隙間Ｓを拡大するもので、左右一対のサイドプレート２と、該一対のサイドプレート２間に横架された切断保護部材７とからなっている。
【００１３】
［サイドプレート］
サイドプレート２は、図示例の場合、側面から見て略く字状や円弧形状のプレートからなっており、前記隙間Ｓ（図８参照）を拡径された既設管１０の切断作業に必要な長さの隙間Ｓ’（図３参照）にするために前記既設管１０を拡開姿勢に広げて維持するための縦幅を有する本体部３と、該本体部３から先端に向かって縦幅を漸次幅狭にする先端ガイド部４とを有している。
【００１４】
サイドプレート２の素材は、金属、合成樹脂、木材など、新設管１１上で裂開された既設管１０を支持できる強度を有するものであればよい。
また、サイドプレート２の上面部２１は、図示例の場合、側面から見て新設管１１の外周に沿って一連に延びる湾曲状または円弧状に形成され、後端が上方に跳ね上がった突出片２Ａとなっている。
本実施例では、前記上面部２１の先端側に拡開された既設管１０の一方の端部を掛止めるための段差部１５が形成されているが、段差部１５は省略してもよい。
【００１５】
［掛止部］
サイドプレート２の底面部２２には、本体部３近傍の底面に、新設管１１を掛止める凹部からなる掛止部５が形成されている。
本実施例では、サイドプレート２の先端ガイド部４に対応する底面部２２は側面から見て円弧状に窪む前方凹部２３になっており、上面部２１はそのほぼ全体が曲率半径の大きい円弧状に隆起しており、サイドプレート２の先端部分がテーパ状に形成されている。
【００１６】
前記底面部２２の中央で前記本体部３に対応する底面には、側面から見て円弧状の第１凹部５ａが形成されており、前記凹部２３と接する個所に第１角部６ａが形成される。
該第１凹部５ａの一方の端部は前記第１角部６ａとなり、他方の端部は第２角部６ｂとなる。
そして、前記第１凹部５ａは、この内周面と同一曲率の外周面を有する小径の新設管１１（例えばＰＥ管５０Ａ）にスペーサ治具１を掛止めて位置決めすることができる（図３参照）。
【００１７】
本実施例では、サイドプレート２の底面部２２に前記第１凹部５ａと重ねて、より曲率半径の大きい（大径の）円弧状の第２凹部５ｂが形成されている。
即ち、第２凹部５ｂは、前記第１角部６ａを第１凹部５ａと共通にした一方の端部とし、第１凹部５ａの他方の第２角部６ｂを超えた部分に他方の端部に第３角部６ｃを有する曲率半径の大きい円弧部分を形成している。
【００１８】
前記第２凹部５ｂは、曲率半径の小さい第１凹部５ａと重なる部分は、第１凹部５ａに吸収されるので、第１凹部５ａの角部６ｂを超えた部分が前記第１凹部５Ａを含んで第２凹部５ｂとなる。
なお、本実施例では、図１に示すように、第２凹部５ｂを超えた底面部２２は更に曲率半径の大きい円弧状で前記前方凹部２３と同じ曲率半径の後方凹部２４としているが、第２凹部５ｂを越えた後方部分は直線状や他の任意の形状としてもよく、前記第２凹部５ｂとの間に第３角部６ｃを形成していればよい。
【００１９】
そこで、大径の新設管１１（例えばＰＥ管７５Ａ）にスペーサ治具１を掛止める場合には、図７に示すように、前記第２の角部６ｂと第３の角部６ｃに掛止めて、第２凹部５ｂが大径の新設管１１の外周に整合し掛止められ、スペーサ治具１を容易に位置決めすることができる。
上記実施例では、掛止部５として２つの径の異なる新設管１１を掛止めるための凹部を重ねて形成したが、掛止部５は１つの凹部でも、３つ以上の径の異なる凹部を設けてもよい。
【００２０】
本実施例では、更に、サイドプレート２の上面部２１の先端側に、拡開された既設管１０の少なくとも一方でスペーサ治具１の挿入方向の前方側の端部を掛止めるカエシ状の段差部１５が形成されている。
これにより、スペーサ治具１は、上面部２１が前記段差部１５により既設管１０に掛止められ、下面部２２は掛止部５により新設管１１に掛止められるので、より確実な固定ができる。
【００２１】
［切断保護部材］
前記左右一対のサイドプレート２の間には切断保護部材７が横架され両端がサイドプレート２に固着されており、自立可能なスペーサ治具１となっている。
切断保護部材７は、本実施例の場合、複数の杆状部材からなっており、サイドプレート２の下方寄りで、長さ方向の全域にわたって略等間隔に配置されている。
ここで杆状部材は、丸パイプや角パイプ、その他の任意の断面形状のパイプや無垢の杆材を含むものである。
【００２２】
この考案では、切断保護部材７は、前記既設管１０を切断する切断刃Ｃ（例えばセーバーソーなどのブレード形状の刃）が新設管１１に接しないように障害となるもので、前記杆状部材に限らず、サイドプレート２間の全面を平面状、湾曲状、折板状に覆う１枚の板状部材や網状部材（パンチングメタルなども含む）でもよく、分割された複数の片からなる板状部材や網状部材を略等間隔に並べる構成でもよく、要するに切断刃Ｃが新設管１１と接する前に衝合する位置に設けられたものであればよい。
また、切断保護部材７は少なくとも左右のサイドプレート２間に横架する構成であればよく、格子状に縦横に掛け渡されるものでもよい。
【００２３】
［導入ガイド部材］
上記スペーサ治具１を、前記拡径された既設管１０と新設管１１の間（新設管１１の径方向）の幅狭な隙間Ｓに挿入する際に、可撓性を有する導入ガイド部材８を先端に連結することで、スペーサ治具１を隙間Ｓに挿入しやすくなる。
導入ガイド部材８は、前記隙間Ｓに挿入し引き出すことができるように、可撓性を有する厚みの薄いベルトや、ワイヤー、紐、チェーンなどを単独、または適宜組み合わせたものからなり、スペーサ治具１の先端側に一方の端部が着脱可能に連結される。
【００２４】
この連結構成は問わないが、本実施例では、一対のサイドプレート２の先端側で下方寄りに外方へ突出する軸部９が固着されており、該軸部９に、導入ガイド部材８の基端に形成されたループを掛止めて連結しているが、先端寄りの切断保護部材７のパイプに基端側を連結したり、または前記軸部８ａに替えてサイドプレート２に穿設された穴に通して連結するものでもよい。
【００２５】
［牽引部材］
牽引部材１８は、本実施例では図５に示すように、略Ｌ状のパイプからなっており、図示例では一対の直管１８ａ、１８ｂの間にエルボ管１８ｃを介設し固定した略Ｌ状部材からなっている。
そして、上記一方の直管１８ａに前記導入ガイド部材８のワイヤの先端側を連結するための環状溝部１９が凹設されている。
また、他方の直管１８ｂの先端には、サイドプレート２間に横架された切断保護部材７のパイプに着脱可能に掛止める略Ｃ字状の掛止部１７が突設されている。
【００２６】
［使用方法］
まず、切断予定個所で、裂開された既設管１０を拡径方向に広げる。
本実施例では、前記拡開工具などの工具（図示せず）を用いて既設管１０を拡径方向に広げる。
【００２７】
次いで、牽引部材１８の掛止部１７をサイドプレート２の後方に設けた切断保護部材（説明上、７’とする）のパイプに掛止める（図４参照）。
これと前後して、導入ガイド部材８の基端のループをスペーサ治具１のサイドプレート２の軸部９に掛け止め、先端を緊張させた状態で牽引部材１８の環状溝部１９に巻き付け緊締する（図４参照）。
【００２８】
この状態で、牽引部材１８を新設管１１の外周に沿って回転方向（図示例では反時計方向）に変位させると、スペーサ治具１は前方が導入ガイド部材８で前方へ牽引され、後方は掛止部５（５ａまたは５ｂ）を介して前方へ押し込まれるので、既設管１０を新設管１１から離間させ隙間Ｓ’を広げてスペーサ治具１を挿入させることができる（図５参照）。
ここで、本実施例の牽引部材１８では、エルボ管１８ｃの外側角部を支点とした梃子運動を利用して、スペーサ治具１の先端側を前記隙間Ｓに徐々に押し込むことができ、スペーサ治具１を既設管１０の切断予定位置の下に位置決めする。
【００２９】
新設管１１が小径の場合は、図５のように、その外周面が第１凹部５ａに隙間なく嵌合し、前後の第１角部６ａおよび第２角部６ｂによって掛止められる。
同時にスペーサ治具１は、既設管１０の一方の端部がサイドプレート２の上面部の段差部１５に掛け止められて、前記のように確実に固定される。
そして、前既設管１０の上からセーバーソーなどのカッター装置の切断刃Ｃにより既設管１０を切断する（図６参照）。
この際にサイドプレート２の後端の突出片２Ａは上向きに突出しているので識別部として機能し、前記既設管１０の上からでも左右のサイドプレート２の位置が明瞭となり、その一対委のサイドプレート２の間の範囲で前記裂開され広げられた前記既設管１０を切断すれば、前記切断刃Ｃが新設管１１に接することがない。
【００３０】
このようにして既設管１０の２カ所の切断予定個所をそれぞれ切断して、切断部分を撤去する。
新設管にセットされたスペーサ治具は、既設管の切り取られた方へスライドして撤去する。
この考案は上記実施例に限定されるものではなく、考案の要旨を変更しない範囲で種々設計変更しうること勿論である。
【符号の説明】
【００３１】
１    スペーサ治具
２    サイドプレート
２Ａ  突出片
３    本体部
３ａ  底面部
４    先端ガイド部
５    掛止部
５ａ  第１凹部
５ｂ  第２凹部
６ａ  第１角部
６ｂ  第２角部
６ｃ  第３角部
７    切断保護部材
８    導入ガイド部材
９    軸部
１０    既設管
１１    新設管
１５    段差部
１８    牽引部材
２１    上面部
２２    底面部
Ｃ    切削刃
Ｓ    隙間
Ｓ’  隙間
【図１】
0003198030.tif 000003
【図２】
0003198030.tif 000004
【図３】
0003198030.tif 000005
【図４】
0003198030.tif 000006
【図５】
0003198030.tif 000007
【図６】
0003198030.tif 000008
【図７】
0003198030.tif 000009
【図８】
0003198030.tif 000010